(57)【要約】      （修正有）【課題】直流電気モーターを発電機の動力源とし、発電量がモーターの消費電力以上の無限動力の状態を得る。【解決手段】回転子を永久磁石として消費電力を０〔ｗ〕とし、固定子を超伝導（超電導）コイルによる電機子としコイルの消費電力を０〔ｗ〕とし、コイルに保護抵抗を接続することで、消費電力は保護抵抗分の消費電力だけとし、コイルの巻き数を増やすことで出力トルクを大きくするモーターと発電機の組み合わせによる発電システムで無限動力（永久回転、自力回転）システムの提供。【選択図】図１
2012125042.tif 000002
【特許請求の範囲】
【請求項１】
Ｎ極とＳ極に磁化した永久磁石を回転子とし消費電力０〔ｗ〕として、固定子に超伝導コイルを使用し前記固定子の消費電力を０〔ｗ〕の電機子とし、超電導ワイヤに保護抵抗を取り付けて消費電力を保護抵抗分のみとした直流電気モーターを動力源とした無限動力発電システム。
【請求項２】
内部抵抗を有するコイルワイヤを使用し、ワイヤの単位面積１平方ミリメーター当たりの電流値を１５〔Ａ〕以下の電流値とする抵抗値を保護抵抗とし、消費電力を保護抵抗分とし、コイルの巻き数に比例した出力トルクを取り出すことを特徴とした直流電気モーターを発電機の動力源とした永久回転発電システム。
【発明の詳細な説明】
【技術分野】
【０００１】
モーターと発電機の組み合わせ又は、永久磁石の組み合わせ或いは、永久磁石とカムの組み合わせによるによる無限動力発電システム。
【背景技術】
【０００２】
従来の文献特開２０００−１４５６１３は風力を利用して風車を回転させて、該風車の力で第１発電機を回転して発電し、該第１発電機で発電した電気を蓄電池に溜めると同時に第２発電機用モーターを回転させ該発電機で発電した電力も蓄電池に充電すると共に第２発電機用モーターに電力供給している。無風時ははバッテリーに蓄電した電力を利用して２次発電機用モーターで第２発電機を回転させて発電を行い、該第２発電機の電力をバッテリーに充電しながら第２発電機用モーターに電力を供給するシステムとしている。
【０００３】
しかし、風力発電は風車で受けた力が全てであり、同時にモーターを回転させ第２発電機を回転させて発電すると、モーターの効率が９０％発電機の効率が９０％としても第２発電機で発電できる電力は、モーターに供給した電力の８０％となりここで２０パーセントの電力損失が発生してしまう。第２発電機を使用しない方が効率がよい。また、無風時にバッテリーに蓄積した電力により第２発電機用モーターを回転して第２発電機で発電した電力をバッテリーに充電しながら第２発電機用モーターにも電力供給を行っている。前記説明のようにモーターと電機を使用すると２０パーセントの損失が出る。バッテリーの電力をそのまま他の負荷に供給した方が効率がよい。
【０００４】
前記システムでは永久回転（無限動力）はあり得ない。
【０００５】
この改善策として、回転子を永久磁石とすることで、回転子の消費電力を０〔ｗ〕とし、固定子を超伝導コイルによる電機子とすることで、コイルの固有抵抗を０〔Ω〕としてコイルの消費電力を０〔ｗ〕とする。固定子の超伝導コイルは０〔Ω〕のため電源を供給すると短絡事故を起こす。この事故を防ぐために保護抵抗を接続することで従来の一般的なコイルと同様に電源供給を行うことができる。消費電力は保護抵抗分の消費電力だけと小さくなる。例えば保護抵抗を０．１〔Ω〕とし、電流を２０〔Ａ〕流すと消費電力は４０〔ｗ〕となります。消費電力が４０〔ｗ〕と小さくてもコイル抵抗が０〔Ω〕のため巻き数を１万回巻くと磁界の強さはＨ＝ＮＩ／２ｒ〔Ａ／ｍ〕＝２０万／２ｒ〔Ａ／ｍ〕と強力な磁場の発生が可能となる。従来の考え方は、強力な磁場を発生させるには、無抵抗の超伝導コイルを使ってＨ＝ＮＩ／２ｒ〔Ａ／ｍ〕の電流Ｉ〔Ａ〕を膨大な大きさ（コイル抵抗が０〔Ω〕であるから∞〔Ａ〕となる）にすることにより磁界を強力にしていた。磁界を強力にするのはＨ＝ＮＩ／２ｒ〔Ａ／ｍ〕の電流Ｉであっても巻き数Ｎであっても又は、電流Ｉ、巻き数Ｎを共に大きくしても磁界の強力となります。回転子の永久磁石も固定子の磁場と同じ強さの永久磁石を使用することで強力な出力トルクを得ることが出来る。前記直流電気モーターを発電機の動力源とすることで発電量がモーターの消費電力以上となり永久回転又は、無限動力という状態になる。
【先行技術文献】
【特許文献】
【０００６】
【特許文献１】特開２０００−１４５６１３
【特許文献２】特開平１０−２８５９０４
【特許文献３】特開２００６−１４１１８９
【発明の概要】
【発明が解決しようとする課題】
【０００７】
発電を行う時、火力発電方法では炭酸ガスが発生する。又、電子力発電は放射性廃棄物が発生し処分に困る。。    
【課題を解決するための手段】
【０００８】
本発明は、回転子を永久磁石として回転子の消費電力を０〔ｗ〕とし、固定子を超伝導コイルによる電気子としコイル内の固有抵抗を０〔Ω〕とすることによりコイルの消費電力を０〔ｗ〕とし、コイルと直列に保護抵抗（電流制御用）を取り付け、電源を直流電源とすることにより誘導抵抗が０〔Ω〕になり保護抵抗分の消費電力のみとなる。コイルの巻き線数を多くすることにより巻き数に比例した出力を取り出す構成とした直流電気モーターは消費電力以上の出力トルクを取り出せるモーターである。該モーターと発電機を組み合わせた発電システムであり、該発電システムは外部よりのエネルギー供給を必要としないため炭酸ガス或いは、放射性廃棄物の発生がないという特徴がある。
【発明の効果】
【０００９】
本発明の無限動力発電システムは、次の利点がある。
モーターの初期回転を外部電力で回転させて発電機が発電を始めると自分の発電機の電力により該モーターを回すことが出来るため従来の発電機で使用している石油．原子力が不要となる。又、需要家の近くで発電が出来るため鉄塔等の送電設備が不要なる。
【図面の簡単な説明】
【００１０】
【図１】図１はモーターの構成及び発電システムの構成図である。（実施例１）
【発明を実施するための形態】
【００１１】
出願第２０１０−２７１１８９号の直流電気モーターに発電機を連動させた形態とする。    
【実施例１】
【００１２】
実施例１の構成及び働きを図１において説明します。
図１参照、図１は本発明の直流電気モーターと発電機の組み合わせによる無限動力発電機システムの構成を示す図である。
１００はモーターである。又、１００は筺体であり円筒状で内部構成部品を固定している。
１０１は筐体上部の蓋であり筐体の一部である。蓋１０１は、円盤状で筐体１００に固
定してあり中心に軸受けを取り付ける円形の穴が開いている。目的は回転軸３００を筐体
１００の中心に回転可能に固定することである。
１０２は蓋１０１に開けた穴である。目的は、冷却槽内を大気圧と同じ圧力に保つため
である。又、冷却槽内にあるコイルのリード線を引き出す目的もある。
１０３は筐体下部の蓋であり筐体の一部である。蓋１０３は円盤状で筐体に固定してあ
り中心に軸受けを取り付ける円形の穴が開いている。役目は回転軸３００を筐体１００の
中心で回転可能に固定することである。
３００は回転軸で、回転軸３００のほぼ中央に永久磁石で作った回転子６００が固定し
てある。
４０１はモーターのプーリーで、筐体の蓋１０１より外部に突き出た部分の回転軸３０
０に固定してある。回転軸３００の回転出力を外部に伝達する目的である。
４０２は発電機のプーリーでモーターの回転力を発電機に伝える働きをする。
５００は軸受けで、筐体の上下の蓋１０１と１０３の中央に軸受け用の穴に圧入してあ
る。働きは、筐体の蓋の穴と回転軸３００との間の摩擦を軽減する。
６００は永久磁石で作った回転子でＮ極とＳ極に磁化してある。円柱の両サイドを切り
落とした形状である。中心に回転軸３００が貫通するための穴が開いている。回転子６０
０と回転軸３００が一対である回転体は筐体内部に収容してあり回転軸３００は筐体の中
心に軸受け５００を介して筐体蓋１０１と１０３に固定してある。働きは，固定子の電磁
極８００と反発と吸引により回転力を発生させる。
７００は冷却槽で、筐体１００の内側に密着固定してあり、上部は筐体の蓋１０１に密
着している。形状はＵ字溝を円形に並べた形状で、一体に成型したものである。内径，外
径共円形であり中心が筐体１００の中心と重なっている。
８００は冷却槽７００の内側に挿入してあり冷却槽７００と共に筐体１００に固定して
ある固定子である。固定子８００の中心は冷却槽の中心と共に筐体１００の中心に重ねて
取り付けてある。
９００はコイルである。コイルとはワイヤ（導線）を複数回巻いたものである。コイル
９００の材質は、絶対零度の摂氏マイナス２７３．１５度近くで超伝導現象を起こす材質
である。又、高温超伝導とは摂氏マイナス１７３度以下で超伝導現象を起こす材質をさす。
超伝導現象が起きると抵抗が０〔Ω〕となるのでワイヤ（導線）を細くすることが出来る。
ワイヤが０〔Ω〕だとコイルを何万回転巻いても消費電力が発生しない。
１０００は固定センサー１１００を取り付ける枠であり、円筒状で本体を取り付けるた
めのつばがある。円筒の中心は回転軸３００の中心と重なっている。枠１０００は、筐体
下部の蓋１０３に軸３００を中心に４０度以内で時計回転方向又は、反時計回転方向に回
転できるように取り付けてある。働きは、固定センサーの支持及び、回転速度の調整であ
る。                                
１１００は固定センサーである。固定センサー１１００は投光部と受光部を１組とした
構成で光線の受光と遮光を繰り返すとき外部に信号を送る。
１１０１から１１１８は、各固定センサーで１８個（複数個）あり、取付け枠１０００
に２０度毎に等間隔で固定してある。
１２００は回転センサーである。円盤状で中心が回転軸３００の中心と同一で回転軸３
００に固定してあり、外周に切り込み（角度２３度で切り込まれた内側の孤は固定センサ
ーの先端より小さい径）があり中心を回転軸３００が貫通している。回転センサー１２０
０が時計回転方向に回転するとき切り込みの先頭部分は回転子６００の中心線と重なるよ
うに回転軸３００に固定してある。
１３００はコントロールボックスである。モーター外部に取り付けてある。回転センサ
ー１２００の切り込み部分を固定センサーが感知して出力した信号により決められたコイ
ルの接続点に（＋）極と（−）極を出力する。回路は入力電力を整流する回路や、制御用
の弱電に変換する回路や、回転子６００の回転位置に合わせたコイルに電源を送る回路が
収容してある。
１４００は発電機である。
１４０１は発電システム以外の負荷である。
１５００はモーターと発電機を結びモーターの回転力を発電機に伝える駆動用ベルトで
ある。
【００１３】
本発明の直流電気モーターと発電機の組み合わせによる無限動力発電システムについての説明。
本発明の無限動力システムの動力源である直流電気モーターは、回転子に永久磁石を使用して、固定子に超伝導コイルを使用するとことで上記回転子と上記固定子の消費電力を０〔ｗ〕にすることが出来ます。超伝導現象が起きているコイルの抵抗は０〔Ω〕のため電源を接続すると短絡事故となります。この事故を防ぐためにコイルと直列に保護抵抗取り付けます。例えば保護抵抗を０．１〔Ω〕とし電流を２０〔Ａ〕とするにはオームの法則よりＥ＝Ｉ＊Ｒ＝２０〔Ａ〕×０．１〔Ω〕＝２〔ｖ〕となります。電力はＰ＝Ｅ＊Ｉ＝２〔ｖ〕×２０〔Ａ〕＝４０〔ｗ〕となりこのモーターの消費電力は４０〔ｗ〕です。超伝導現象の起きているワイヤは抵抗が０〔Ω〕であるからワイヤの恒長を無限に近い長さとしても抵抗は０〔Ω〕です。又、ワイヤの断面積は、施工の出来る最小径とすることでコイルの巻き数を多大に増やすことができます。磁気の強さはＨ＝ＮＩ／２ｒであるから巻き数のＮが大きくなれば磁気の強さは大きくなります。超電導コイルに対する従来の考え方はＨ＝ＮＩ／２ｒよりコイル抵抗が０〔Ω〕でるから電流を∞に流すことができる。電流（Ｉ）が∞に流れると磁界は∞に大きくなるとしていた。しかしＨ＝ＮＩ／２ｒこの式は巻き数（Ｎ）を∞に大きくすると磁界はやはり∞に大きくなるとしています。このことから、例えば、消費電力が保護抵抗分の４０〔ｗ〕であっても従来の出力計算方法の５０〔ｋｗ〕モーターと同じ出力トルクを持つモーターとすることも可能です。該モーターを使用して発電機（発電効率９０％）を回転させればモーターの出力トルクの９０％の発電が可能です。発電量は４５〔ｋｗ〕となります。モーターの消費電力が４０〔ｗ〕ですから外部で使用出来る電力は発電量マイナス４０〔ｗ〕となり４４．９６〔ｋｗ〕を外部に供給できます。発電量が発電機用モーターの消費電力を上回れば自力回転（無限動力、永久回転）が可能となるのです。
【実施例２】
【００１４】
実施例２の構成及び働きを図１において説明します。
実施例２は本発明の無限動力システムの動力源である直流電気モーターの回転子を永久磁石とし、固定子のコイルを超伝導ワイヤとしない場合です。コイルに使用するワイヤ（導線）は超伝導現象の起きない一般に市販されているワイヤ（導線）例えばポリエステル銅線（ＰＥＷ）です。固有抵抗を導線内に残すのは電圧を加えたとき短絡事故を防ぐための保護抵抗分です。固有抵抗を小さくするにはワイヤ（導線）の断面積を大きくします。例えば、コイルの直径が１０ｃｍのコイルで、ワイヤの断面積を２倍にすると恒長を２倍にしても電気抵抗は変わりません。上記コイルワイヤを直径１０ｃｍのコイルに巻き替えると巻数は２倍になります。コイルの巻き数が２倍になると磁界の強さはＨ＝ＮＩ／２ｒより２倍になります。磁界の強さが２倍になると出力トルクも２倍になります。上記説明により固有抵抗（保護抵抗）が一定で使用する電圧が同じであれば消費電力も一定です。ワイヤ（導線）の断面積を大きくして恒長を長くして巻線回数を大きくすることで出力トルクが巻き線数に比例して大きくなります。２５〔Ａ〕／平方ミリメートル以下の電流値とした保護抵抗（固有抵抗）を持つ直流電気モーターを動力源とする無限動力発電システムです。
【産業上の利用可能性】
【００１５】
発電所へのシステムの提供。自家発電機へのシステムの提供。
【符号の説明】
【００１６】
１００はモーター。
１０１は筐体上部の蓋。
１０２は蓋１０１に開けた穴。
１０３は筐体下部の蓋。
３００は回転軸。
４０１はモーターのプーリー。
４０２は発電機のプーリー。
５００は軸受。
６００は永久磁石で作った回転子。
７００は冷却槽。
８００は固定子。
９００はコイル。
１０００は固定センサー取り付ける枠。                                
１１００は固定センサー。
１１０１から１１１８は、各固定センサーで１８個。
１２００は回転センサー。
１３００はコントロールボックス。
１４００は発電機。
１４０１は発電システム以外の負荷。
１５００は駆動用ベルト。
【図１】
2012125042.tif 000003